(57)【要約】  ある観点によれば、ワイヤレスデバイスは、ワイヤレス通信ネットワークにより構成される１つ以上の帯域幅部分（ＢＷＰ）において選択的に動作するように構成される。いくつかの実施形態において、上記ワイヤレスデバイスは、上記ワイヤレスデバイス内のメディアアクセス制御（ＭＡＣ）エンティティのリセットをトリガするリセットイベントを検出（３０２）し、上記リセットイベントの検出への応答として、ビーム障害指示を追跡するカウンタをリセット（３０４）する。【選択図】図２
2021521682.tif 000002
【特許請求の範囲】
【請求項１】
ワイヤレス通信ネットワーク内で動作するワイヤレスデバイスにおいて、誤ったビーム障害リカバリ手続を回避するための方法であって、前記方法は、
前記ワイヤレスデバイス内のメディアアクセス制御（ＭＡＣ）エンティティのリセットをトリガするリセットイベントを検出すること（３０２）と、
前記リセットイベントの検出への応答として、ビーム障害指示を追跡するカウンタをリセットすること（３０４）と、を含む方法。
【請求項２】
請求項１に記載の方法であって、検出される前記リセットイベントは、
前記ワイヤレス通信ネットワークへ送信した無線リソース制御（ＲＲＣ）メッセージに対する応答を前記ワイヤレスデバイスが待ち受けている間のセル再選択、
ＲＲＣ接続確立要求の送信に応じて開始されるタイマの満了、
ＲＲＣ接続拒否メッセージの受信、
前記ワイヤレスデバイスによりトリガされたＲＲＣ接続の中断、
ＲＲＣ接続再確立の開始、
ＲＲＣ接続モードからの退出、及び
ハンドオーバの障害、
のうちで選択される任意のイベントを含む、方法。
【請求項３】
請求項１又は２に記載の方法であって、前記方法は、
前記リセットイベントの検出への応答として、ビーム障害検出手続を停止すること、をさらに含む、方法。
【請求項４】
請求項１〜３のいずれか１項に記載の方法であって、前記方法は、
前記リセットイベントの検出への応答として、進行中のビーム障害リカバリ手続を停止すること、をさらに含む、方法。
【請求項５】
請求項１〜４のいずれか１項に記載の方法であって、前記方法は、
前記リセットイベントの検出への応答として、成功事例のカウントをリセットすること、をさらに含む、方法。
【請求項６】
請求項１〜５のいずれか１項に記載の方法であって、前記方法は、
ビーム障害検出又はビームリカバリ手続に関連するタイマをリセットすること、をさらに含む、方法。
【請求項７】
請求項６に記載の方法であって、ビーム障害検出又はビームリカバリ手続に関連する前記タイマは、
障害検出に応じて前記ワイヤレスデバイスが新たなビームを探索すべき時間長を制御するタイマ、及び
コンテンションフリーのランダムアクセス手続とコンテンションベースのランダムアクセス手続との間の切替えを制御するタイマ、
のうちで選択されるタイマを含む、方法。
【請求項８】
請求項１〜７のいずれか１項に記載の方法であって、前記方法は、
前記リセットイベントの検出への応答として、ビームリカバリに関連する１つ以上の測定結果及び／又はビーム選択に関連する１つ以上の状態変数を削除すること、をさらに含む、方法。
【請求項９】
請求項１〜８のいずれか１項に記載の方法であって、前記ワイヤレスデバイスは、前記ワイヤレス通信ネットワークにより構成される１つ以上の帯域幅部分（ＢＷＰ）において選択的に動作するように構成され、前記方法は、前記リセットイベントの検出への応答として、前記１つ以上のＢＷＰのうちの予め決定される既定のＢＷＰへアクティブＢＷＰを切替えること、をさらに含む、方法。
【請求項１０】
請求項９に記載の方法であって、前記予め決定される既定のＢＷＰは、前記１つ以上のＢＷＰのうちの予め決定される初期ＢＷＰである、方法。
【請求項１１】
請求項９又は１０に記載の方法であって、前記予め決定される既定のＢＷＰへ前記アクティブＢＷＰを切替えることは、予め決定される既定のダウンリンクＢＷＰへアクティブダウンリンクＢＷＰを切替えること、を含み、前記方法は、前記リセットイベントの検出への応答として、予め決定される既定のアップリンクＢＷＰへアクティブアップリンクＢＷＰを切替えること、をさらに含む、方法。
【請求項１２】
請求項１〜１１のいずれか１項に記載の方法を実行するように適合される、ワイヤレスデバイス。
【請求項１３】
送受信機回路と、前記送受信機回路に動作可能に関連付けられ、請求項１〜１１のいずれか１項に記載の方法を実行するように構成される処理回路と、を備えるワイヤレスデバイス。
【請求項１４】
少なくとも１つの処理回路上で実行された場合に、前記少なくとも１つの処理回路に、請求項１〜１１のいずれか１項に記載の方法を遂行させる命令群、を含む、コンピュータプログラム。
【請求項１５】
請求項１４に記載のコンピュータプログラムを収容した担体であって、電子信号、光信号、無線信号、又はコンピュータ読取可能な記憶媒体のうちの１つである、担体。
【請求項１６】
ワイヤレス通信ネットワーク内で動作し、前記ワイヤレス通信ネットワークにより構成される１つ以上の帯域幅部分（ＢＷＰ）において選択的に動作するように構成されるワイヤレスデバイスにおいて、ＢＷＰと共に動作するための方法であって、前記方法は、
ダウンリンク制御チャネルを求めて前記１つ以上のＢＷＰのうちのアクティブＢＷＰを監視すること（２０２）と、
リセットイベントを検出すること（２０４）と、
前記リセットイベントの検出への応答として、前記アクティブＢＷＰを前記１つ以上のＢＷＰのうちの予め決定される既定のＢＷＰへ切替えること（２０６）と、を含む、方法。
【請求項１７】
請求項１６に記載の方法であって、前記予め決定される既定のＢＷＰは、前記１つ以上のＢＷＰのうちの予め決定される初期ＢＷＰである、方法。
【請求項１８】
請求項１６又は１７に記載の方法であって、前記予め決定される既定のＢＷＰへ前記アクティブＢＷＰを切替えること（２０６）は、予め決定される既定のダウンリンクＢＷＰへアクティブダウンリンクＢＷＰを切替えること、を含み、前記方法は、前記リセットイベントの検出への応答として、予め決定される既定のアップリンクＢＷＰへアクティブアップリンクＢＷＰを切替えること、をさらに含む、方法。
【請求項１９】
請求項１６〜１８のいずれか１項に記載の方法であって、検出される前記リセットイベントは、前記ワイヤレスデバイス内のメディアアクセス制御（ＭＡＣ）エンティティのリセットをトリガするイベントを含む、方法。
【請求項２０】
請求項１６〜１９のいずれか１項に記載の方法であって、検出される前記リセットイベントは、
前記ワイヤレス通信ネットワークへ送信した無線リソース制御（ＲＲＣ）メッセージに対する応答を前記ワイヤレスデバイスが待ち受けている間のセル再選択、
ＲＲＣ接続確立要求の送信に応じて開始されるタイマの満了、
ＲＲＣ接続拒否メッセージの受信、
前記ワイヤレスデバイスによりトリガされたＲＲＣ接続の中断、
ＲＲＣ接続再確立の開始、
ＲＲＣ接続モードからの退出、及び
ハンドオーバの障害、
のうちで選択される任意のイベントを含む、方法。
【請求項２１】
請求項１６〜２０のいずれか１項に記載の方法を実行するように適合される、ワイヤレスデバイス。
【請求項２２】
送受信機回路と、前記送受信機回路に動作可能に関連付けられ、請求項１６〜２０のいずれか１項に記載の方法を実行するように構成される処理回路と、を備えるワイヤレスデバイス。
【請求項２３】
少なくとも１つの処理回路上で実行された場合に、前記少なくとも１つの処理回路に、請求項１６〜２０のいずれか１項に記載の方法を遂行させる命令群、を含む、コンピュータプログラム。
【請求項２４】
請求項２３に記載のコンピュータプログラムを収容した担体であって、電子信号、光信号、無線信号、又はコンピュータ読取可能な記憶媒体のうちの１つである、担体。
【請求項２５】
ホストコンピュータを含む通信システムであって、前記ホストコンピュータは、
ユーザデータを提供するように構成される処理回路と、
ユーザデータをセルラーネットワークにおいて動作するユーザ機器（ＵＥ）への送信のために前記セルラーネットワークへ転送するように構成される通信インタフェースと、を備え、前記ＵＥは、無線インタフェースと処理回路とを備え、前記ＵＥの処理回路は、
前記ＵＥ内のＭＡＣエンティティのリセットをトリガするリセットイベントを検出し、
前記リセットイベントの検出への応答として、ビーム障害指示を追跡するカウンタをリセットする、ように構成される、通信システム。
【請求項２６】
セルラーネットワーク内で動作するユーザ機器（ＵＥ）において実装される、誤ったビーム障害リカバリ手続を回避するための方法であって、前記方法は、
前記ＵＥ内のメディアアクセス制御（ＭＡＣ）エンティティのリセットをトリガするリセットイベントを検出することと、
前記リセットイベントの検出への応答として、ビーム障害指示を追跡するカウンタをリセットすることと、を含む方法。
【発明の詳細な説明】
【技術分野】
【０００１】
本開示は、ワイヤレスデバイス内のメディアアクセス制御（ＭＡＣ）エンティティに関連付けられる手続に関連する。
【背景技術】
【０００２】
３ＧＰＰ（3rd-Generation Partnership Projection）のメンバにより標準化された、ＬＴＥ（Long-Term Evolution）のワイヤレスネットワーク及びデバイス向けのシステムアーキテクチャにおいて、メディアアクセス制御（ＭＡＣ）プロトコルは、ワイヤレスデバイス（３ＧＰＰ用語では"ユーザ機器"あるいは"ＵＥ"）及び基地局（３ＧＰＰ用語ではｅＮｏｄｅＢ）の双方に対応する実装を有し、無線リソースがどのように使用されるかのいくつもの側面を規制する。ＭＡＣプロトコルは、論理チャネルからトランスポートチャネルへのマッピングを提供し、ハイブリッド自動再送要求（ＨＡＲＱ）の機能性を提供し、不連続受信動作、リソース要求、及び電力ヘッドルーム報告などを取り扱い、並びに、ランダムアクセス手続を制御する。現在のところ３ＧＰＰにより検討中の第５世代（５Ｇ）ワイヤレスネットワーク標準では、新たな無線ネットワーク標準が共通的に"ＮＲ"として言及されており、ＭＡＣプロトコルは、上述した機能性の多く又は全てを提供すると共に、ＮＲの一部として取り入れられる新たなコンセプトに対処するために必要とされる他の機能性を提供することになる。
【０００３】
それら新たなコンセプトのうちの１つは、"帯域幅部分"あるいは"ＢＷＰ"の使用であり、帯域幅部分とは、セルにおいて概して利用可能な帯域幅（周波数リソース）のサブセットである。システム全体にとって利用可能な可用帯域幅の全体未満を表し得る１つ以上のＢＷＰをＵＥの構成に提供することにより、ＵＥがどの程度の帯域幅（どの周波数）を扱うことができるかという観点の個別のＵＥのケイパビリティが考慮に入れられ得る。ネットワークは、複数のＢＷＰと共にＵＥを構成し、様々なＢＷＰ上でアップリンク及びダウンリンク送信をスケジューリングすることができ、その手続はＢＷＰスイッチングと呼ばれる。ＵＥがダウンリンク制御メッセージ、即ち物理ダウンリンク制御チャネル（ＰＤＣＣＨ）の受信を試行するダウンリンク（ＤＬ）ＢＷＰは、アクティブＤＬ  ＢＷＰと呼ばれる。アクティブアップリンク（ＵＬ）ＢＷＰは、あるＵＬ  ＢＷＰから他への変更を要することなく、任意の所与の時点で送信のためにスケジューリングされ得るＵＬ  ＢＷＰとして理解されてよい。３ＧＰＰ規格によれば、（ＤＬ及びＵＬの各々について）１つのＢＷＰのみが同時にアクティブとなることができる。１つのＢＷＰは、初期ＢＷＰと呼ばれ、ランダムアクセスのような手続のために使用される。
【０００４】
ＮＲに取り入れられる他のコンセプトは、ビームリカバリというコンセプトである。３ＧＰＰにおいて検討中のビーム検出手続及びビーム障害リカバリ手続は、ＵＥ及びｇＮＢ（ＮＲ基地局又はアクセスポイントについての３ＧＰＰ用語）に、ビーム対応関係を得るための手段、即ち通信のためにどのビームが使用されることになるかを判定するための手段を提供する。現行のアプローチによれば、ＵＥの物理レイヤは、例えば追跡されるビームについてのリファレンス信号受信電力（ＲＳＲＰ）が閾値を下回ることを判定することにより、その時点で使用可能なビームが無いことを判定すると、"ビーム障害（beam failure）"をＭＡＣエンティティへ指し示すことになる。ここで、ＭＡＣエンティティは、ＵＥ内のＭＡＣプロトコルの実装部／実例である。ＭＡＣエンティティは、そうした指示をビーム障害指示カウンタを用いて計数し、予め決定される回数に到達すると、ｇＮＢに向けてランダムアクセス手続を開始する。なお、以降の議論において、各ＭＡＣエンティティが機能の実例となるＭＡＣプロトコルを、単に"ＭＡＣ"ということがあり得る。
【０００５】
無線リソース制御（ＲＲＣ）プロトコルは、ＬＴＥ及びＮＲのプロトコルスタックにおいて、ＭＡＣプロトコル又はＭＡＣレイヤの"上"で動作し、ＭＡＣがどのように動作するかを規制し、ネットワーク及び無線リソースへのＵＥのアクセスを制御する。ＬＴＥ  ＲＲＣプロトコルは、ＭＡＣプロトコルと適切に相互作用するように慎重に検討されている。上で議論した変更のようなＮＲ  ＭＡＣに対する変更は、ＲＲＣの動作に、劣悪なＵＥ性能をもたらす予期しない問題を引き起こすかもしれない。
【発明の概要】
【０００６】
上で定義したようなＮＲの動作によれば、ＵＥは、ＭＡＣプロトコル／エンティティがリセットされる場合に、そのアクティブＢＷＰ上でのＰＤＣＣＨの受信を試行し続けることになる。ネットワークは、どのＢＷＰがアクティブであるかについて異なる見方をしているかもしれない。ＢＷＰが既定のＢＷＰ、即ち初期のＢＷＰへ切替えられない場合、ＵＥは、誤ったＢＷＰ上でのＰＤＣＣＨの受信を試行し続けるであろう。これでは、ネットワークがＵＥへ到達し得ない結果となる。
【０００７】
さらに、既存の機能性では、ＵＥは、ＭＡＣがリセットされる場合にビーム障害カウンタをリセットしないであろう。これは、ＭＡＣがリセット（ビームの再構成を含んでよい）された後に古い構成でのビーム障害が新たな構成に対して計上されることを意味する。すると、ＵＥは、ビーム障害リカバリを、誤って、即ち時期尚早に、さもなければ不適切な時点でトリガするかもしれず、それは予期しない劣悪な性能につながる。
【０００８】
これら問題に対処するために、ここで説明される技法及び装置の多様な実施形態は、ＭＡＣリセットに応じて、アップリンク及びダウンリンクのＢＷＰを、初期のＢＷＰといった既定のＢＷＰへ切替える。それらのうちのいくつかの実施形態及び何らかの他の実施形態は、ＭＡＣリセットに応じて、ビーム障害指示カウンタをリセットし、ビーム障害関連のタイマを停止する。加えて、いくつかの実施形態において、ビームリカバリに関連する測定結果、及びビーム選択に関連する状態変数が削除される。
【０００９】
いくつかの実施形態によれば、ワイヤレス通信ネットワーク内で動作し、上記ワイヤレス通信ネットワークにより構成される１つ以上のＢＷＰにおいて選択的に動作するように構成されるワイヤレスデバイスにおける方法は、ダウンリンク制御チャネルを求めて上記１つ以上のＢＷＰのうちのアクティブＢＷＰを監視すること、を含む。また、上記方法は、リセットイベントを検出することと、上記リセットイベントの検出への応答として、上記アクティブＢＷＰを上記１つ以上のＢＷＰのうちの予め決定される既定のＢＷＰへ切替えることと、を含む。
【００１０】
いくつかの実施形態によれば、ワイヤレス通信ネットワーク内で動作するワイヤレスデバイスにおける方法は、上記ワイヤレスデバイス内のＭＡＣエンティティのリセットをトリガするリセットイベントを検出すること、を含む。また、上記方法は、上記リセットイベントの検出への応答として、ビーム障害指示を追跡するカウンタをリセットすること、を含む。
【００１１】
他の例示的な実施形態は、上述した例示的な方法及び／又は手続に対応する動作を行うように構成可能なセルラネットワーク内の無線ノード（例えば、基地局、低電力ノード、ワイヤレスデバイス、ユーザ機器など）を含む。他の例示的な実施形態は、少なくとも１つのプロセッサにより実行された場合に、上述した例示的な方法及び／又は手続に対応する動作を行うように上記無線ノードを構成するプログラム命令、を記憶した非一時的なコンピュータ読取可能な媒体を含む。
【００１２】
本開示の例示的な実施形態の以下の詳細な説明を読めば、本開示の例示的な実施形態のこれらの及び他の目的、特徴及び利点が明らかとなるであろう。
【図面の簡単な説明】
【００１３】
【図１】いくつかの実施形態に係る例示的なワイヤレスデバイスを示すブロック図である。
【図２】ワイヤレスデバイスにおいて遂行される、いくつかの実施形態に係る一例としての方法を示すプロセスフロー図である。
【図３】ワイヤレスデバイスにおいて遂行される、いくつかの実施形態に係る他の例としての方法を示すプロセスフロー図である。
【図４】いくつかの実施形態に係る例示的なネットワークノードを示すブロック図である。
【図５】いくつかの実施形態に係る例示的な通信システムを示している。
【図６】いくつかの実施形態に係る部分的にワイヤレスな接続上で基地局を介してユーザ機器と通信するホストコンピュータの概略ブロック図である。
【図７】ホストコンピュータ、基地局及びユーザ機器を含む通信システムにおいて実装される方法を示すフローチャートである。
【図８】ホストコンピュータ、基地局及びユーザ機器を含む通信システムにおいて実装される方法を示すフローチャートである。
【図９】ホストコンピュータ、基地局及びユーザ機器を含む通信システムにおいて実装される方法を示すフローチャートである。
【図１０】ホストコンピュータ、基地局及びユーザ機器を含む通信システムにおいて実装される方法を示すフローチャートである。
【図１１】例示的なワイヤレスデバイスの機能上の表現を示すブロック図である。
【図１２】例示的なワイヤレスデバイスの他の機能上の表現を示すブロック図である。
【発明を実施するための形態】
【００１４】
ここで企図される実施形態のいくつかが、これより添付図面を参照しながらより十分に説明されるであろう。しかしながら、ここで開示される主題のスコープの範囲内に他の実施形態も含まれるものであり、開示される主題は、ここで説示される実施形態のみに限定されるものとして解釈されるべきではなく、むしろ、それら実施形態は当業者へその主題のスコープを伝えるための例として提供される。
【００１５】
ＮＲの開発及び配備は、より高域のキャリア周波数の使用と共に、多くの新たな無線プロトコル機能、新たな波形、フレーム構造、チャネル符号化、マッシブＭＩＭＯ（Multiple Input Multiple Output）などを取り入れることになる。上で議論したように、帯域幅部分（ＢＷＰ）及びビームリカバリのコンセプトもまたＮＲに取り入れられる。
【００１６】
一般的な問題として、プロトコルレイヤでの一貫した振る舞いを可能にするために、ある状況下で（例えば、セルへの接続時に）プロトコルレイヤをリセットする必要があり得る。これが起これば、プロトコルの状態は、送信機及び受信機の双方にとって既知の状態へ設定される。これが、一貫したプロトコルの振る舞い及び効率的な動作を可能にする。
【００１７】
ＬＴＥ及びＮＲの双方において、ＲＲＣの規格の視点からいうと、ＭＡＣリセット、即ちＭＡＣプロトコルにおけるパラメータ及び機能性のリセットは、次のシナリオのうちのいずれかによりトリガされる：
１．Ｔ３００（又は何らかの他のアクセス制御タイマ）が稼働中のセル再選択の実行時（即ち、ＵＥが既定のＭＡＣ構成を用いてＳＲＢ０上でメッセージを送信済みであり、ＵＥが応答を得る前にセル再選択が発生）；
２．Ｔ３００の満了時；
３．ＲＲＣ拒否（RRC Reject）の受信時；
４．上位レイヤによりトリガされたＲＲＣ接続の中断時；
５．ＲＲＣ接続再確立（RRC Connection Re-establishment）の開始時；
６．ＲＲＣ接続済み（RRC_CONNECTED）からの退出時；及び
７．ハンドオーバ障害時。
【００１８】
これらケースのうちのほとんどにおいて、ＵＥによる後続のＲＲＣ送信が必要とされることになり、よって、ＭＡＣがリセットされる。
【００１９】
上で定義したようなＮＲの動作によれば、ＵＥは、ＭＡＣプロトコル／エンティティがリセットされる場合に、そのアクティブＢＷＰ上での物理ダウンリンク制御チャネル（ＰＤＣＣＨ）の受信を試行し続けるであろう。ネットワークは、どのＢＷＰがアクティブであるかについて異なる見方をしているかもしれない。ＢＷＰが既定のＢＷＰ、即ち初期のＢＷＰへ切替えられない場合、ＵＥは、誤ったＢＷＰ上でのＰＤＣＣＨの受信を試行し続けるであろう。これでは、ネットワークがＵＥへ到達し得ない結果となる。
【００２０】
さらに、従前存在する機能性では、ＵＥは、ＭＡＣがリセットされる場合にビーム障害カウンタをリセットしないであろう。これは、ＭＡＣがリセット（ビームの再構成を含んでよい）された後に古い構成でのビーム障害が新たな構成に対して計上されることを意味する。すると、ＵＥは、ビーム障害リカバリを、誤ってトリガするかもしれず、それは予期しない劣悪な性能につながる。
【００２１】
これら問題に対処するために、ここで説明される技法及び装置の多様な実施形態は、ＭＡＣリセットに応じて、アップリンク及びダウンリンクのＢＷＰを、初期のＢＷＰといった既定のＢＷＰへ切替える。これらＢＷＰ（初期及び／又は既定のＢＷＰ）は、例えばＲＲＣ構成手続により予め決定される。それらのうちのいくつかの実施形態及び何らかの他の実施形態は、ＭＡＣリセットに応じて、ビーム障害指示カウンタをリセットし、ビーム障害関連のタイマを停止する。加えて、いくつかの実施形態において、ビームリカバリに関連する測定結果、及びビーム選択に関連する状態変数が削除される。
【００２２】
ＢＷＰの使用に関連する開示される技法は、不確実性のない（deterministic）ＵＥの振る舞いを保証し、ＭＡＣリセット後にネットワークが迅速かつ効率的にＵＥへ到達することを可能にする。ビーム障害及びビームリカバリに関する開示される技法は、ＵＥが誤ってビーム障害リカバリ手続をトリガしないよう保証することを助ける。
【００２３】
本発明の実施形態を、例えば、以下に示すようなＭＡＣ規格書（３ＧＰＰ  ＴＳ３８．３２１）で実装することができる。下線部は、規格に対する、ここで説明される技法を実装する変更を示す。なお、多様な実施形態において、これら変更の全てがなされなければならないわけではない。
【００２４】
−−−−−−−−−−−−−−−−−−−−−−−−−−−−−−−−−−−−−−−−
５．１２  ＭＡＣリセット
ＭＡＣエンティティのリセットが上位レイヤにより要求された場合、ＭＡＣエンティティは次のことを行うものとする：
１＞ 各論理チャネルについてＢｊをゼロへ初期化；
１＞ （稼働中ならば）全てのタイマを停止；
１＞ 全てのtimeAlignmentTimerが満了したものとみなし、第５．２節における対応するアクションを実行；
１＞ 全てのアップリンクＨＡＲＱプロセスについてＮＤＩを値ゼロへ設定；
１＞ もしあれば、進行中のＲＡＣＨ手続を停止；
１＞ もしあれば、明示的にシグナリングされたコンテンションフリーのランダムアクセスリソースを破棄；
１＞ Ｍｓｇ３バッファをフラッシュ；
１＞ もしあれば、トリガされたスケジューリング要求手続をキャンセル；
１＞ もしあれば、トリガされたバッファステータスレポーティング手続をキャンセル；
１＞ もしあれば、トリガされた電力ヘッドルームレポーティング手続をキャンセル；
１＞ 全てのＤＬ  ＨＡＲＱプロセスについて、ソフトバッファをフラッシュ；
１＞ 各ＤＬ  ＨＡＲＱプロセスについて、ＴＢについて次に受信される送信信号をまさに１つ目の送信信号であるとみなす；
１＞ もしあれば、一時Ｃ−ＲＮＴＩをリリース；
１＞ アクティブＤＬ  ＢＷＰを初期ＤＬ  ＢＷＰへ切替え；
１＞ アクティブＵＬ  ＢＷＰを初期ＵＬ  ＢＷＰへ切替え；
１＞ ＢＦＩカウンタ（BFI_COUNTER）をリセット
−−−−−−−−−−−−−−−−−−−−−−−−−−−−−−−−−−−−−−−−
【００２５】
ここで考慮される技法及び装置は、ＭＡＣがリセットされる際のビームリカバリ／障害手続に関連付けられるパラメータに関連するいくつかの実施形態を含む。ビーム障害リカバリ（ＢＦＲ）手続において、物理レイヤは、"障害事例（failure instances）"、即ち特定の適合性の基準を満たすビームが無い時間インスタンスをＭＡＣへ指し示す。これは、規格の現行バージョンでカバーされている。これら手続を、上記適合性の基準を満たす少なくとも１つのビームがが存在するという物理レイヤからＭＡＣへの指示（indication）であるはずの"成功事例（success instances）"を追跡するようにさらに適合させることができる。この解決策は、ＮＲ向けの現行の規格には取り込まれていない。
【００２６】
成功の指示のカウントを、ビーム障害リカバリ（ＢＦＲ）手続をリセットし又は停止するために使用することができる。これは、いくつかの点で、ＬＴＥで作動する無線リンクモニタリング（ＲＬＭ）の手法に類似しており、ＲＬＭの手法では、ＰＨＹからのある回数の"out-of-sync"イベントによってＲＲＣがタイマを起動し、その満了に応じて無線リンク障害（ＲＬＦ）がトリガされる。但し、ＰＨＹからのある回数の"in-sync"イベント（即ち、成功事例）の受信に応じて、タイマは停止され、ＲＬＦは回避される。
【００２７】
ここで説明される技法によれば、ＭＡＣプロトコル／ＭＡＣエンティティがワイヤレスデバイス（ＵＥ）においてリセットされる場合、誤った再選択を回避するために、ビーム障害リカバリ手続は、リセットされ、再初期化され、又は再起動されるものとされる。これは、多様な実施形態において、ビーム障害インジケータカウンタをリセットすること、及び／又はビーム検出成功事例カウンタをリセットすることを包含してもよい。
【００２８】
ここで開示される技法のいくつかの実施形態において、ＭＡＣリセットに応じて、ＵＥはビーム障害検出の実行を停止する。いくつかの実施形態において、ＭＡＣリセットに応じて、ＵＥは、稼働中であればビーム障害リカバリの実行を停止する。いくつかの実施形態において、ＭＡＣリセットに応じて、ＵＥは、（上で示したように、BFI_COUNTERと呼ばれる）障害事例の回数をゼロへリセットする。
【００２９】
いくつかの実施形態において、ＭＡＣリセットに応じて、ＵＥは、成功事例の回数をゼロへリセットする。いくつかの実施形態において、ＭＡＣリセットに応じて、ＵＥは、ビーム障害検出又はビームリカバリ手続に関連する任意のタイマを停止する。いくつかの実施形態において、ＭＡＣリセットに応じて、ＵＥは、ビーム障害検出又はビームリカバリ手続に関連する任意のタイマを再起動する。
【００３０】
上述したタイマの１つは、障害検出に応じてＵＥが新たなビームの探索を継続する必要のある時間長について制御するタイマであってよい。他のタイマは、コンテンションフリーのランダムアクセスとコンテンションベースのランダムアクセスとの間の切替えに関連付けられるタイマであってよく、そのタイマは例えばＵＥがビーム障害リカバリをトリガする際に起動される（そのタイマが稼働している間、ＵＥはビームリカバリのためにコンテンションフリーのリソースを優先しなければならない）。
【００３１】
いくつかの実施形態において、ＭＡＣリセットに応じて、ＵＥは、例えばビーム障害検出手続のクリーニングに関連するものなど、さらなるアクションのために下位レイヤへの通知を行う。いくつかの実施形態において、ＭＡＣリセットに応じて、ＵＥは、ビームリカバリに関連する測定結果、及びビーム選択に関連する状態変数（例えば、最も良く選択された最良のビームなど）を削除する。
【００３２】
それに応じて、図１は、ここで説明した技法を実行するように構成されるワイヤレスデバイス５０の一例を示している。ワイヤレスデバイス５０は、多様な文脈において、無線通信デバイス、ＵＥ、ターゲットデバイス、デバイスツーデバイス（Ｄ２Ｄ）ＵＥ、マシンタイプＵＥ若しくはマシンツーマシン通信（Ｍ２Ｍ）可能なＵＥ、センサを具備するＵＥ、ＰＤＡ（personal digital assistant）、ワイヤレスタブレット、移動端末、スマートフォン、ＬＥＥ（laptop-embedded equipped）、ＬＭＥ（laptop-mounted equipment）、ワイヤレスＵＳＢドングル、ＣＰＥ（Customer Premises Equipment）などとして言及されてもよい。
【００３３】
ワイヤレスデバイス５０は、アンテナ５４及び送受信機回路５６を介して、図４に示したような１つ以上のネットワークノード３０といった１つ以上の無線ノード又は基地局と通信する。送受信機回路５６は、セルラ通信サービスを提供する目的のために、無線アクセス技術に従って信号を送受信するようまとめて構成される送信機回路、受信機回路、及び関連付けられる制御回路を含んでもよい。
【００３４】
ワイヤレスデバイス５０は、無線送受信機回路５６に動作可能に関連付けられ及びそれを制御する１つ以上の処理回路５２をも含む。処理回路５２は、例えば１つ以上のマイクロプロセッサ６２、マイクロコントローラ、デジタル信号プロセッサ（ＤＳＰ）、フィールドプログラマブルゲートアレイ（ＦＰＧＡ）、コンプレックスプログラマブルロジックデバイス（ＣＰＬＤ）、特定用途向け集積回路（ＡＳＩＣ）、又はそれらの任意の混成といった、１つ以上のデジタル処理回路を含む。より一般に、処理回路５２は、固定的な回路、若しくはここで教示される機能性を実装するプログラム命令群の実行を介して特別に適合されるプログラマブル回路を含んでもよく、又は、固定的な回路及びプログラムされた回路の何らかの混成を含んでもよい。
【００３５】
処理回路５２は、メモリ６４をも含む。メモリ６４は、いくつかの実施形態において、プロセッサ６２による実行のための１つ以上のコンピュータプログラム６６、及びオプションとして構成データ６８を記憶する。メモリ６４は、コンピュータプログラム６６のための非一時的なストレージを提供し、ディスクストレージ、ソリッドステートメモリストレージ、又はそれらの任意の混成といった、１つ以上の種類のコンピュータ読取可能な媒体を含んでよい。非限定的な例でいうと、メモリ６４は、ＳＲＡＭ、ＤＲＡＭ、ＥＥＰＲＯＭ及びフラッシュメモリのうちの任意の１つ以上を含み、それらは処理回路５２内にあってもよく、及び／又は処理回路５２とは別個であってもよい。概して、メモリ６４は、コンピュータプログラム６６及びワイヤレスデバイス５０により使用される何らかの構成データ６８の非一時的なストレージを提供する１つ以上の種類のコンピュータ読取可能な記憶媒体を含む。
【００３６】
それに応じて、いくつかの実施形態において、ワイヤレスデバイス５０は、ワイヤレス通信ネットワークにより構成される１つ以上のＢＷＰにおいて選択的に動作するように構成される。処理回路５２は、いくつかの実施形態において、ダウンリンク制御チャネルを求めて１つ以上のＢＷＰのうちのアクティブＢＷＰを監視する、ように構成される。また、処理回路５２は、いくつかの実施形態において、リセットイベントを検出し、リセットイベントの検出への応答として、アクティブＢＷＰを１つ以上のＢＷＰのうちの予め決定される既定のＢＷＰへ切替える、ように構成される。
【００３７】
図２は、ワイヤレスデバイス５０において実装される対応する方法２００を描いた処理フロー図である。方法２００は、ダウンリンク制御チャネルを求めて１つ以上のＢＷＰのうちのアクティブＢＷＰを監視すること（ブロック２０２）、を含む。また、方法２００は、リセットイベントを検出すること（２０４）と、リセットイベントの検出への応答として、アクティブＢＷＰを上記１つ以上のＢＷＰのうちの予め決定される既定のＢＷＰへ切替えること（ブロック２０６）と、を含む。いくつかの実施形態において、上記予め決定される既定のＢＷＰは、上記１つ以上のＢＷＰのうちの予め決定される初期ＢＷＰである。
【００３８】
上記予め決定される既定のＢＷＰへアクティブＢＷＰを切替えることは、上記予め決定される既定のダウンリンクＢＷＰへアクティブダウンリンクＢＷＰを切替えること、を含んでもよく、方法２００は、リセットイベントの検出への応答として、予め決定される既定のアップリンクＢＷＰへアクティブアップリンクＢＷＰを切替えること、をさらに含んでもよい。
【００３９】
いくつかの実施形態において、検出される上記リセットイベントは、上記ワイヤレスデバイス内のＭＡＣエンティティのリセットをトリガするイベントを含む。検出される上記リセットイベントは、ワイヤレス通信ネットワークへ送信した無線リソース制御（ＲＲＣ）メッセージに対する応答を上記ワイヤレスデバイスが待ち受けている間のセル再選択、ＲＲＣ接続確立要求の送信に応じて開始されるタイマの満了、ＲＲＣ接続拒否メッセージの受信、上記ワイヤレスデバイスによりトリガされたＲＲＣ接続の中断、ＲＲＣ接続再確立の開始、ＲＲＣ接続モードからの退出、及びハンドオーバの障害、のうちで選択される任意のイベントを含んでよい。
【００４０】
方法２００は、上記リセットイベントの検出への応答として、ビーム障害指示を追跡するカウンタをリセットすること、を含んでもよい。方法２００は、上記リセットイベントの検出への応答として、ビーム障害検出手続を停止すること、をさらに含んでもよい。また、方法２００は、上記リセットイベントの検出への応答として、進行中のビーム障害リカバリ手続を停止すること、をも含んでもよい。
【００４１】
方法２００は、上記リセットイベントの検出への応答として、成功事例のカウントをリセットすること、を含んでもよい。また、方法２００は、ビーム障害検出又はビームリカバリ手続に関連するタイマをリセットすること、をも含んでもよい。ビーム障害検出又はビームリカバリ手続に関連するタイマは、障害検出に応じて上記ワイヤレスデバイスが新たなビームを探索すべき時間長を制御するタイマ、又はコンテンションフリーのランダムアクセス手続とコンテンションベースのランダムアクセス手続との間の切替えを制御するタイマ、を含んでもよい。
【００４２】
方法２００は、上記リセットイベントの検出への応答として、ビームリカバリに関連する１つ以上の測定結果及び／又はビーム選択に関連する１つ以上の状態変数を削除すること、を含んでもよい。
【００４３】
いくつかの実施形態によれば、ワイヤレスデバイス５０は、リセットイベントに関与する他の技法を行うように構成される。ワイヤレスデバイス５０の処理回路５２は、当該ワイヤレスデバイス内のＭＡＣエンティティのリセットをトリガするリセットイベントを検出する、ように構成される。また、処理回路５２は、リセットイベントの検出への応答として、ビーム障害指示を追跡するカウンタをリセットする、ように構成される。
【００４４】
処理回路５２は、いくつかの実施形態に係る対応する方法３００を実行するように構成される。図３に示した方法３００は、ワイヤレスデバイス５０内のＭＡＣエンティティのリセットをトリガするリセットイベントを検出すること（ブロック３０２）と、リセットイベントの検出への応答として、ビーム障害指示を追跡するカウンタをリセットすること（ブロック３０４）と、を含む。
【００４５】
方法３００は、上記リセットイベントの検出への応答として、ビーム障害検出手続を停止すること、をさらに含んでもよい。また、方法３００は、上記リセットイベントの検出への応答として、進行中のビーム障害リカバリ手続を停止すること、をも含んでもよい。
【００４６】
いくつかの実施形態において、方法３００は、上記リセットイベントの検出への応答として、成功事例のカウントをリセットすること、を含む。また、方法３００は、ビーム障害検出又はビームリカバリ手続に関連するタイマをリセットすること、をも含んでもよい。ビーム障害検出又はビームリカバリ手続に関連するタイマは、障害検出に応じて上記ワイヤレスデバイスが新たなビームを探索すべき時間長を制御するタイマ、又はコンテンションフリーのランダムアクセス手続とコンテンションベースのランダムアクセス手続との間の切替えを制御するタイマ、を含んでもよい。
【００４７】
方法３００は、上記リセットイベントの検出への応答として、ビームリカバリに関連する１つ以上の測定結果及び／又はビーム選択に関連する１つ以上の状態変数を削除すること、をさらに含んでもよい。
【００４８】
いくつかの実施形態によれば、上位レイヤによりＭＡＣエンティティのリセットが要求される場合に、ＭＡＣエンティティは、とりわけ、全てのタイマを停止するものとされる。（ＵＥがアクティブＢＷＰ上での非アクティビティ期間の後にいつ既定のＢＷＰへ戻るかを制御する）bwp-InactivityTimerが稼働しており停止される場合、ＵＥは、既定のダウンリンクＢＷＰへ切替えて、リセット後にＵＥがどのＢＷＰを監視しているのかについての曖昧性を回避することができる。
【００４９】
図４は、基地局として動作するように構成され得る、対応するワイヤレス通信ネットワーク内の例示的なネットワークノード３０を示すブロック図である。ネットワークノード３０は、説明した技法を遂行するクラウドベースのシステムにおける複数のネットワークノードのうちの１つで有り得る。ネットワークノード３０は、例えば、ｅＮＢ又は５Ｇ  ｇＮＢであってもよい。ネットワークノード３０は、アンテナ３４及び送受信機回路３６を介して実装される、ダウンリンク送信及びアップリンク受信のための例えば５Ｇエアインタフェースである、ワイヤレスデバイスへのエアインタフェースを提供する。送受信機回路３６は、セルラ通信又は必要ならばＷＬＡＮサービスを提供する目的のために、無線アクセス技術に従って信号を送受信するようまとめて構成される送信機回路、受信機回路、及び関連付けられる制御回路を含む。多様な実施形態に従って、セルラ通信サービスは、３ＧＰＰセルラ規格、ＧＳＭ、ＧＰＲＳ、ＷＣＤＭＡ、ＨＳＤＰＡ、ＬＴＥ、ＬＴＥアドバンスト及び５Ｇのうちの任意の１つ以上に従って運用されてもよい。ネットワークノード３０は、コアネットワーク内のノード、他のピア無線ノード、及び／又はネットワーク内の他のタイプのノードと通信するための通信インタフェース回路３８をも含む。
【００５０】
ネットワークノード３０は、通信インタフェース回路３８及び／又は送受信機回路３６に動作可能に関連付けられ及びそれらを制御するように構成される１つ以上の処理回路３２をも含む。処理回路３２は、例えば１つ以上のマイクロプロセッサ、マイクロコントローラ、ＤＳＰ、ＦＰＧＡ、ＣＰＬＤ、ＡＳＩＣ、又はそれらの任意の組合せといった、１つ以上のデジタルプロセッサ４２を含む。より一般に、処理回路３２は、固定的な回路、若しくはここで教示される機能性を実装するプログラム命令群の実行を介して特別に構成されるプログラマブル回路を含んでもよく、又は、固定的な回路及びプログラマブル回路の何らかの組合せを含んでもよい。プロセッサ４２は、マルチコアであってもよい。
【００５１】
処理回路３２は、メモリ４４をも含む。メモリ４４は、いくつかの実施形態において、１つ以上のコンピュータプログラム４６、及びオプションとして構成データ４８を記憶する。メモリ４４は、コンピュータプログラム４６のための非一時的なストレージを提供し、ディスクストレージ、ソリッドステートメモリストレージ、又はそれらの任意の組合せといった、１つ以上の種類のコンピュータ読取可能な媒体を含んでよい。非限定的な例でいうと、メモリ４４は、ＳＲＡＭ、ＤＲＡＭ、ＥＥＰＲＯＭ及びフラッシュメモリのうちの任意の１つ以上を含んでよく、それらは処理回路３２内にあってもよく、及び／又は処理回路３２とは別個であってもよい。概して、メモリ４４は、コンピュータプログラム４６及びネットワークノード３０により使用される何らかの構成データ４８の非一時的なストレージを提供する１つ以上の種類のコンピュータ読取可能な記憶媒体を含む。ここで、"非一時的な（non-transitory）"とは、永久的な、半永久的な、又は少なくとも一時的に持続的なストレージであることを意味し、不揮発性のメモリにおける長期間の記憶、及び例えばプログラムの実行のためのワーキングメモリにおける記憶の双方を包含する。
【００５２】
いくつかの実施形態において、ワイヤレスネットワークへ接続される１つ以上のネットワークノード３０の処理回路３２は、ワイヤレスデバイス５０がここで説明される技法を行うように構成し及び／又はそれを可能にするための動作を行う、ように構成される。ネットワークノード３０は、ワイヤレスデバイス５０がワイヤレスネットワークにより構成される１つ以上のＢＷＰにおいて選択的に動作することも可能にする。
【００５３】
図５は、多様な実施形態に係る、３ＧＰＰ型のセルラーネットワークといった電気通信ネットワーク５１０を含む通信システムを示しており、電気通信ネットワーク５１０は、ｇＮＢ−ＲＡＮといったアクセスネットワーク５１１とコアネットワーク５１４（例えば、５ＧＣ）とを含む。アクセスネットワーク５１１は、ｇＮＢ又は他のタイプの無線アクセスポイントといった複数の基地局５１２ａ、５１２b、５１２cを含み、その各々が対応するカバレッジエリア５１３ａ、５１３b、５１３cを定義する。各基地局５１２ａ、５１２b、５１２cは、有線又は無線接続５１５上でコアネットワーク５１４へ接続可能である。カバレッジエリア５１３cに位置する第１のユーザ機器（ＵＥ）５９１は、対応する基地局５１２cへワイヤレスに接続され又は対応する基地局５１２ｃによりページングされるように構成される。カバレッジエリア５１３ａ内の第２のＵＥ５９２は、対応する基地局５１２ａへワイヤレスに接続可能である。この例では、複数のＵＥ５９１、５９２が図示されているものの、開示される実施形態は、カバレッジエリア内に単一のＵＥがある状況、又は対応する基地局５１２へ単一のＵＥが接続している状況へ等しく適用可能である。
【００５４】
電気通信ネットワーク５１０は、それ自体がホストコンピュータ５３０へ接続され、ホストコンピュータ５３０は、スタンドアローンのサーバのハードウェア及び／若しくはソフトウェア、クラウド実装のサーバ、分散型サーバで具現化されてもよく、又はサーバファーム内の処理リソースとして具現化されてもよい。ホストコンピュータ５３０は、サービスプロバイダの所有下にあってもその制御下にあってもよく、又はサービスプロバイダにより若しくはサービスプロバイダのために運用されてもよい。電気通信ネットワーク５１０とホストコンピュータ５３０との間の接続５２１、５２２は、コアネットワーク５１４からホストコンピュータ５３０へ直接的に伸びていてもよく、オプションとしての中間ネットワーク５２０を介してつながっていてもよい。中間ネットワーク５２０は、パブリック、プライベート又はホステッドネットワークのうちの１つ又はそれらの複数の組合せであってもよく、中間ネットワーク５２０は、もしあればバックボーンネットワーク又はインターネットであってもよく、具体的には、中間ネットワーク５２０は、２つ以上のサブネットワーク（図示せず）を含んでもよい。
【００５５】
図５の通信システムは、全体として、接続されるＵＥ５９１、５９２のうちの１つとホストコンピュータ５３０との間の接続性を可能にする。その接続性は、オーバー・ザ・トップ（ＯＴＴ）接続５５０として説明されてよい。ホストコンピュータ５３０及び接続されるＵＥ５９１、５９２は、アクセスネットワーク５１１、コアネットワーク５１４、任意の中間ネットワーク５２０及びあり得るさらなる基盤（図示せず）を途中段階として用いて、ＯＴＴ接続５５０を介してデータ及び／又はシグナリングを通信するように構成される。ＯＴＴ接続５５０は、ＯＴＴ接続５５０の通過途上の参加している通信デバイスがアップリンク及びダウンリンクの通信のルーティングを意識しないという意味において、透過的であり得る。例えば、基地局５１２は、ホストコンピュータ５３０から発して接続ＵＥ５９１へ転送（例えば、ハンドオーバ）されるべきデータを伴うインカミングのダウンリンク通信の過去のルーティングについて通知されなくてよく又はその通知を必要としない。同様に、基地局５１２は、ＵＥ５９１から発してホストコンピュータ５３０へ向かうアウトゴーイングのアップリンク通信の将来のルーティングを認識することを必要としない。
【００５６】
前の段落で議論したＵＥ、基地局及びホストコンピュータの一実施形態に係る例示的な実装が、これより図６を参照しながら説明される。通信システム６００において、ホストコンピュータ６１０は、通信システム６００の異なる通信デバイスのインタフェースとの有線又は無線の接続をセットアップし及び維持するように構成される通信インタフェース６１６を含むハードウェア６１５を備える。ホストコンピュータ６１０は、さらに、記憶及び／又は処理のケイパビリティを有し得る処理回路６１８を備える。具体的には、処理回路６１８は、命令群を実行するように適合される、１つ以上のプログラマブルプロセッサ、特定用途向け集積回路、フィールドプログラマブルゲートアレイ又はそれらの組合せ（図示せず）を含んでよい。ホストコンピュータ６１０は、さらに、ホストコンピュータ６１０内に記憶され又はホストコンピュータ６１０によりアクセス可能なソフトウェア６１１であって、処理回路６１６により実行可能な当該ソフトウェア６１１を備える。ソフトウェア６１１は、ホストアプリケーション６１２を含む。ホストアプリケーション６１２は、ＵＥ６３０及びホストコンピュータ６１０で終端するＯＴＴ接続６５０を介して接続しているＵＥ６３０といったリモートユーザへサービスを提供するように動作可能であり得る。リモートユーザへのサービスの提供中に、ホストアプリケーション６１２は、ＯＴＴ接続６５０を用いて送信されるユーザデータを提供し得る。
【００５７】
通信システム６００は、電気通信システムにおいて提供される基地局６２０をさらに含み、基地局６２０は、ホストコンピュータ６１０及びＵＥ６３０と通信することを可能にするハードウェア６２５を備える。ハードウェア６２５は、通信システム６００の異なる通信デバイスのインタフェースとの有線又は無線の接続をセットアップし及び維持するための通信インタフェース６２６、並びに、基地局６２０によりサービスされるカバレッジエリア（図６には示していない）内に位置するＵＥ６３０との少なくとも無線接続６７０をセットアップし及び維持するための無線インタフェース６２７を含み得る。通信インタフェース６２６は、ホストコンピュータ６１０への接続６６０を促進するように構成され得る。接続６６０は、直接的なものであってもよく、又は、電気通信システムのコアネットワーク（図６には示されていない）及び／若しくは電気通信システム外の１つ以上の中間ネットワークを通過してもよい。図示した実施形態において、基地局６２０のハードウェア６２５は、命令群を実行するように適合される、１つ以上のプログラム可能なプロセッサ、特定用途向け集積回路、フィールドプログラマブルゲートアレイ又はそれらの組合せ（図示せず）を含み得る処理回路６２８をさらに含む。基地局６２０は、内部的に記憶され又は外部接続を介してアクセス可能なソフトウェア６２１をさらに有する。
【００５８】
通信システム６００は、既に言及したＵＥ６３０をさらに含む。そのハードウェア６３５は、ＵＥ６３０がその時点で位置するカバレッジエリアへサービスする基地局との無線接続６７０をセットアップし及び維持するように構成される無線インタフェース６３７を含み得る。ＵＥ６３０のハードウェア６３５は、命令群を実行するように適合される、１つ以上のプログラム可能なプロセッサ、特定用途向け集積回路、フィールドプログラマブルゲートアレイ又はそれらの組合せ（図示せず）を含み得る処理回路６３８をさらに含む。ＵＥ６３０は、さらに、ＵＥ６３０内に記憶され又はＵＥ６３０によりアクセス可能なソフトウェア６３１であって、処理回路６３８により実行可能な当該ソフトウェア６３１を備える。ソフトウェア６３１は、クライアントアプリケーション６３２を含む。クライアントアプリケーション６３２は、ホストコンピュータ６１０のサポートと共に、人間の又は非人間のユーザへＵＥ６３０を介してサービスを提供するように動作可能であり得る。ホストコンピュータ６１０において、実行対象のホストアプリケーション６１２は、実行対象のクライアントアプリケーション６３２とＵＥ６３０及びホストコンピュータ６１０で終端するＯＴＴ接続６５０を介して通信し得る。ユーザへのサービス提供中に、クライアントアプリケーション６３２は、ホストアプリケーション６１２からリクエストデータを受信し、当該リクエストデータへの応答としてユーザデータを提供し得る。ＯＴＴ接続６５０は、リクエストデータ及びユーザデータの双方を移送し得る。クライアントアプリケーション６３２は、自身が提供するユーザデータを生成するために、ユーザとインタラクションし得る。
【００５９】
なお、図６に示したホストコンピュータ６１０、基地局６２０及びＵＥ６３０は、それぞれ図５のホストコンピュータ５３０、基地局５１２ａ、５１２b、５１２cのうちの１つ、及びＵＥ５９１、５９２のうちの１つと同一であってもよい。言うなれば、これらエンティティの内部的な作用は図６に示した通りであってよく、それとは独立して、周囲のネットワークトポロジーは図５のそれであってよい。
【００６０】
図６では、ホストコンピュータ６１０とユーザ機器６３０との間の基地局６２０を介する通信を、いかなる中間的なデバイス及びそれらデバイスを介するメッセージの正確なルーティングへの明示的な言及も無く例示するために、ＯＴＴ接続６５０が抽象的に描かれている。ルーティングを決定するのはネットワーク基盤であってよく、ネットワーク基盤は、ＵＥ６３０若しくはホストコンピュータ６１０を動作させるサービスプロバイダ又はそれら双方からルーティングを隠蔽するように構成されてよい。ＯＴＴ接続６５０がアクティブである間、ネットワーク基盤は、（例えば、負荷分散の考慮又はネットワークの再構成に基づいて）ルーティングを動的に変更するための決定をさらに行ってよい。
【００６１】
ＵＥ６３０と基地局６２０との間の無線接続６７０は、本開示を通じて説明した実施形態の教示に従う。多様な実施形態の１つ以上が、ＯＴＴ接続６５０を用いてＵＥ６３０へ提供されるＯＴＴサービスの性能を改善し、無線接続６７０はその最後のセグメントを形成する。より正確には、ＢＷＰの使用に関連する開示される技法は、不確実性のないＵＥの振る舞いを保証し、ＭＡＣリセット後にネットワークが迅速かつ効率的にＵＥへ到達することを可能にする。ビーム障害及びビームリカバリに関する開示される技法は、ＵＥが誤ってビーム障害リカバリ手続をトリガしないよう保証することを助ける。これら実施形態は、ＲＡＮのユーザにとって、より良好な及び／若しくはより堅実なスループット、並びに／又は低減された遅延といった、改善された性能に帰結することになる。
【００６２】
データレート、レイテンシ及び１つ以上の実施形態により改善される他の要因を監視する目的で、測定手続が提供されてもよい。測定結果の変動に応じてホストコンピュータ６１０とＵＥ６３０との間のＯＴＴ接続６５０を再構成するためのオプションとしてのネットワークの機能性がさらに存在してもよい。上記測定手続及び／又はＯＴＴ接続６５０を再構成するためのネットワーク機能性は、ホストコンピュータ６１０のソフトウェア６１１若しくはＵＥ６３０のソフトウェア６３１、又はそれらの双方において実装されてもよい。複数の実施形態において、通信デバイス内に又は通信デバイスに関連付けて、ＯＴＴ接続６５０が通過するセンサ（図示せず）が配備されてもよく、それらセンサは、上で例示した監視結果の数量の値を供給することにより又は他の物理量の値を供給することにより上記測定手続に参加してもよく、それらからソフトウェア６１１、６３１により監視対象の量が計算され又は推定され得る。ＯＴＴ接続６５０の再構成は、メッセージフォーマット、再送設定、好適なルーティングなどを含んでよく、その再構成は、基地局６２０には影響しなくてもよく、基地局６２０にとっては未知であるか又は感知不能であってもよい。そうした手続及び機能性は、当分野において既知であり又は実用されているかもしれない。ある実施形態において、測定は、ホストコンピュータ６１０によるスループット、伝播時間及びレイテンシなどの測定を容易化する独自のＵＥシグナリングを包含してもよい。その測定は、ソフトウェア６１１、６３１がＯＴＴ接続６５０を用いて具体的には空であり又は"ダミー"のメッセージであるメッセージを送信しつつ、伝播時間や誤りなどを監視する形で実装されてもよい。
【００６３】
図７は、１つの実施形態に従った、通信システムにおいて実装される方法を示すフローチャートである。通信システムは、図５及び図６を参照しながら説明したものであり得る、ホストコンピュータ、基地局、及びＵＥを含む。本開示を簡明にするために、図７の図への参照のみが本セクションに含められるであろう。本方法の第１ステップ７１０において、ホストコンピュータは、ユーザデータを提供する。第１ステップ７１０の随意的なサブステップ７１１において、ホストコンピュータは、ホストアプリケーションを実行することによりユーザデータを提供する。第２ステップ７２０において、ホストコンピュータは、ユーザデータを搬送するＵＥへの送信を開始する。オプションとしての第３ステップ７３０において、基地局は、本開示を通じて説明される実施形態の教示に従って、ホストコンピュータが開始した上記送信において搬送されたユーザデータをＵＥへ送信する。オプションとしての第４ステップ７４０において、ＵＥは、ホストコンピュータにより実行されるホストアプリケーションに関連付けられるクライアントアプリケーションを実行する。
【００６４】
図８は、１つの実施形態に従った、通信システムにおいて実装される方法を示すフローチャートである。通信システムは、図５及び図６を参照しながら説明したものであり得る、ホストコンピュータ、基地局、及びＵＥを含む。本開示を簡明にするために、図８の図への参照のみが本セクションに含められるであろう。本方法の第１ステップ８１０において、ホストコンピュータは、ユーザデータを提供する。随意的なサブステップ（図示せず）において、ホストコンピュータは、ホストアプリケーションを実行することによりユーザデータを提供する。第２ステップ８２０において、ホストコンピュータは、ユーザデータを搬送するＵＥへの送信を開始する。その送信は、本開示を通じて説明される実施形態の教示に従って、基地局を通過し得る。オプションとしての第３ステップ８３０において、ＵＥは、上記送信において搬送されるユーザデータを受信する。
【００６５】
図９は、１つの実施形態に従った、通信システムにおいて実装される方法を示すフローチャートである。通信システムは、図５及び図６を参照しながら説明したものであり得る、ホストコンピュータ、基地局、及びＵＥを含む。本開示を簡明にするために、図９の図への参照のみが本セクションに含められるであろう。本方法のオプションとしての第１ステップ９１０において、ＵＥは、ホストコンピュータにより提供される入力データを受信する。追加的に又は代替的に、オプションとしての第２ステップ９２０において、ＵＥがユーザデータを提供する。第２ステップ９２０のオプションとしてのサブステップ９２１において、ＵＥは、クライアントアプリケーションを実行することによりユーザデータを提供する。第１ステップ２０１０のさらなるオプションとしてのサブステップ９１１において、ＵＥは、ホストコンピュータにより提供される入力データの受信へのリアクションにおいて、ユーザデータを提供するクライアントアプリケーションを実行する。ユーザデータの提供中に、実行されるクライアントアプリケーションは、ユーザから受け付けられるユーザ入力をさらに考慮してもよい。ユーザデータが提供された具体的なやり方に関わらず、ＵＥは、オプションとしての第３ステップ９３０において、ホストコンピュータへのユーザデータの送信を開始する。本方法の第４ステップ９４０において、ホストコンピュータは、本開示を通じて説明される実施形態の教示に従って、ＵＥから送信されるユーザデータを受信する。
【００６６】
図１０は、１つの実施形態に従った、通信システムにおいて実装される方法を示すフローチャートである。通信システムは、図５及び図６を参照しながら説明したものであり得る、ホストコンピュータ、基地局、及びＵＥを含む。本開示を簡明にするために、図１０の図への参照のみが本セクションに含められるであろう。オプションとしての方法の第１ステップ１０１０において、本開示を通じて説明される実施形態の教示に従って、基地局は、ＵＥからのユーザデータを受信する。オプションとしての第２ステップ１０２０において、基地局は、受信したユーザデータのホストコンピュータへの送信を開始する。第３ステップ１０３０において、ホストコンピュータは、基地局により開始される上記送信において搬送されるユーザデータを受信する。
【００６７】
上で詳細に議論したように、例えば図２〜図３の処理フロー図に示した通りの、ここで説明した技法は、全体として又は部分的に、１つ以上のプロセッサにより実行されるコンピュータプログラム命令群を用いて実装されてもよい。理解されるであろうこととして、それら技法の機能的な実装は、機能モジュールの観点で表現されてもよく、その場合、各機能モジュールは、適切なプロセッサにおいて稼働するソフトウェアの機能ユニットに、機能的なデジタルハードウェア回路に、又は双方の何らかの組合せに相当する。
【００６８】
図１１は、ワイヤレス通信ネットワーク内で動作し、当該ワイヤレス通信ネットワークにより構成される１つ以上のＢＷＰにおいて選択的に動作するように構成されるワイヤレスデバイス５０において実装され得るような、例示的な機能モジュール又は回路アーキテクチャを示している。その実装は、ダウンリンク制御チャネルを求めて１つ以上のＢＷＰのうちのアクティブＢＷＰを監視するための監視モジュール１１０２、を含む。その実装は、リセットイベントを検出するための検出モジュール１１０４、及び、リセットイベントの検出への応答として、アクティブＢＷＰを上記１つ以上のＢＷＰのうちの予め決定される既定のＢＷＰへ切替えるための切替えモジュール１１０６をも含む。
【００６９】
図１２に示した他の例示的な実装において、ワイヤレスデバイス５０は、上記ワイヤレスデバイス内のＭＡＣエンティティのリセットをトリガするリセットイベントを検出するための検出モジュール１２０２と、リセットイベントの検出への応答として、ビーム障害指示を追跡するカウンタをリセットするためのリセットモジュール１２０４と、を含む。
【００７０】
例示的な実施形態
ここで説明した技法及び装置の例示的な実施形態は、限定ではないものの、以下の例を含む：
【００７１】
（ａ）
ワイヤレス通信ネットワーク内で動作し、前記ワイヤレス通信ネットワークにより構成される１つ以上の帯域幅部分（ＢＷＰ）において選択的に動作するように構成されるワイヤレスデバイスにおける方法であって、前記方法は、
ダウンリンク制御チャネルを求めて前記１つ以上のＢＷＰのうちのアクティブＢＷＰを監視することと、
リセットイベントを検出することと、
前記リセットイベントの検出への応答として、前記アクティブＢＷＰを前記１つ以上のＢＷＰのうちの予め決定される既定のＢＷＰへ切替えることと、を含む方法。
【００７２】
（ｂ）
例示的な実施形態（ａ）に記載の方法であって、前記予め決定される既定のＢＷＰは、前記１つ以上のＢＷＰのうちの予め決定される初期ＢＷＰである、方法。
【００７３】
（ｃ）
例示的な実施形態（ａ）又は（ｂ）に記載の方法であって、前記予め決定される既定のＢＷＰへ前記アクティブＢＷＰを切替えることは、予め決定される既定のダウンリンクＢＷＰへアクティブダウンリンクＢＷＰを切替えること、を含み、前記方法は、前記リセットイベントの検出への応答として、予め決定される既定のアップリンクＢＷＰへアクティブアップリンクＢＷＰを切替えること、をさらに含む、方法。
【００７４】
（ｄ）
例示的な実施形態（ａ）〜（ｃ）のいずれかに記載の方法であって、検出される前記リセットイベントは、前記ワイヤレスデバイス内のメディアアクセス制御（ＭＡＣ）エンティティのリセットをトリガするイベントを含む、方法。
【００７５】
（ｅ）
例示的な実施形態（ａ）〜（ｄ）のいずれかに記載の方法であって、検出される前記リセットイベントは、
前記ワイヤレス通信ネットワークへ送信した無線リソース制御（ＲＲＣ）メッセージに対する応答を前記ワイヤレスデバイスが待ち受けている間のセル再選択、
ＲＲＣ接続確立要求の送信に応じて開始されるタイマの満了、
ＲＲＣ接続拒否メッセージの受信、
前記ワイヤレスデバイスによりトリガされたＲＲＣ接続の中断、
ＲＲＣ接続再確立の開始、
ＲＲＣ接続モードからの退出、及び
ハンドオーバの障害、
のうちで選択される任意のイベントを含む、方法。
【００７６】
（ｆ）
例示的な実施形態（ａ）〜（ｅ）のいずれかに記載の方法であって、前記方法は、
前記リセットイベントの検出への応答として、ビーム障害指示を追跡するカウンタをリセットすること、をさらに含む、方法。
【００７７】
（ｇ）
例示的な実施形態（ａ）〜（ｆ）のいずれかに記載の方法であって、前記方法は、
前記リセットイベントの検出への応答として、ビーム障害検出手続を停止すること、をさらに含む、方法。
【００７８】
（ｈ）
例示的な実施形態（ａ）〜（ｇ）のいずれかに記載の方法であって、前記方法は、
前記リセットイベントの検出への応答として、進行中のビーム障害リカバリ手続を停止すること、をさらに含む、方法。
【００７９】
（ｉ）
例示的な実施形態（ａ）〜（ｈ）のいずれかに記載の方法であって、前記方法は、
前記リセットイベントの検出への応答として、成功事例のカウントをリセットすること、をさらに含む、方法。
【００８０】
（ｊ）
例示的な実施形態（ａ）〜（ｉ）のいずれかに記載の方法であって、前記方法は、
ビーム障害検出又はビームリカバリ手続に関連するタイマをリセットすること、をさらに含む、方法。
【００８１】
（ｋ）
例示的な実施形態（ｊ）に記載の方法であって、ビーム障害検出又はビームリカバリ手続に関連する前記タイマは、
障害検出に応じて前記ワイヤレスデバイスが新たなビームを探索すべき時間長を制御するタイマ、及び
コンテンションフリーのランダムアクセス手続とコンテンションベースのランダムアクセス手続との間の切替えを制御するタイマ、
のうちで選択されるタイマを含む、方法。
【００８２】
（ｌ）
例示的な実施形態（ａ）〜（ｋ）のいずれかに記載の方法であって、前記方法は、
前記リセットイベントの検出への応答として、ビームリカバリに関連する１つ以上の測定結果及び／又はビーム選択に関連する１つ以上の状態変数を削除すること、をさらに含む、方法。
【００８３】
（ｍ）
ワイヤレス通信ネットワーク内で動作するワイヤレスデバイスにおける方法であって、前記方法は、
前記ワイヤレスデバイス内のメディアアクセス制御（ＭＡＣ）エンティティのリセットをトリガするリセットイベントを検出することと、
前記リセットイベントの検出への応答として、ビーム障害指示を追跡するカウンタをリセットすることと、を含む、方法。
【００８４】
（ｎ）
例示的な実施形態（ｍ）に記載の方法であって、前記方法は、
前記リセットイベントの検出への応答として、ビーム障害検出手続を停止すること、をさらに含む、方法。
【００８５】
（ｏ）
例示的な実施形態（ｍ）又は（ｎ）に記載の方法であって、前記方法は、
前記リセットイベントの検出への応答として、進行中のビーム障害リカバリ手続を停止すること、をさらに含む、方法。
【００８６】
（ｐ）
例示的な実施形態（ｍ）〜（ｏ）のいずれかに記載の方法であって、前記方法は、
前記リセットイベントの検出への応答として、成功事例のカウントをリセットすること、をさらに含む、方法。
【００８７】
（ｑ）
例示的な実施形態（ｍ）〜（ｐ）のいずれかに記載の方法であって、前記方法は、
ビーム障害検出又はビームリカバリ手続に関連するタイマをリセットすること、をさらに含む、方法。
【００８８】
（ｒ）
例示的な実施形態（ｑ）に記載の方法であって、ビーム障害検出又はビームリカバリ手続に関連する前記タイマは、
障害検出に応じて前記ワイヤレスデバイスが新たなビームを探索すべき時間長を制御するタイマ、及び
コンテンションフリーのランダムアクセス手続とコンテンションベースのランダムアクセス手続との間の切替えを制御するタイマ、
のうちで選択されるタイマを含む、方法。
【００８９】
（ｓ）
例示的な実施形態（ｍ）〜（ｒ）のいずれかに記載の方法であって、前記方法は、
前記リセットイベントの検出への応答として、ビームリカバリに関連する１つ以上の測定結果及び／又はビーム選択に関連する１つ以上の状態変数を削除すること、をさらに含む、方法。
【００９０】
（ｔ）
例示的な実施形態（ａ）〜（ｓ）のいずれかに記載の方法を実行するように適合される、ワイヤレスデバイス。
【００９１】
（ｕ）
送受信機回路と、前記送受信機回路に動作可能に関連付けられ、例示的な実施形態（ａ）〜（ｓ）のいずれかに記載の方法を実行するように構成される処理回路と、を備えるワイヤレスデバイス。
【００９２】
（ｖ）
少なくとも１つの処理回路上で実行された場合に、前記少なくとも１つの処理回路に、例示的な実施形態（ａ）〜（ｓ）のいずれか１項に記載の方法を遂行させる命令群、を含む、コンピュータプログラム。
【００９３】
（ｗ）
例示的な実施形態（ｖ）に記載のコンピュータプログラムを収容した担体であって、電子信号、光信号、無線信号、又はコンピュータ読取可能な記憶媒体のうちの１つである、担体。
【００９４】
（ｘ）
ホストコンピュータを含む通信システムであって、前記ホストコンピュータは、
ユーザデータを提供するように構成される処理回路と、
ユーザデータをセルラーネットワークにおいて動作するユーザ機器（ＵＥ）への送信のために前記セルラーネットワークへ転送するように構成され、及び、前記セルラーネットワークにより構成される１つ以上の帯域幅部分（ＢＷＰ）において選択的に動作するように構成される通信インタフェースと、を備え、前記ＵＥは、無線インタフェース及び処理回路を含み、前記ＵＥの処理回路は、
ダウンリンク制御チャネルを求めて前記１つ以上のＢＷＰのうちのアクティブＢＷＰを監視し、
リセットイベントを検出し、
前記リセットイベントの検出への応答として、前記アクティブＢＷＰを前記１つ以上のＢＷＰのうちの予め決定される既定のＢＷＰへ切替える、ように構成される、通信システム。
【００９５】
（ｙ）
ホストコンピュータを含む通信システムであって、前記ホストコンピュータは、
ユーザデータを提供するように構成される処理回路と、
ユーザデータをセルラーネットワークにおいて動作するユーザ機器（ＵＥ）への送信のために前記セルラーネットワークへ転送するように構成される通信インタフェースと、を備え、前記ＵＥは、無線インタフェース及び処理回路を含み、前記ＵＥの処理回路は、
前記ＵＥ内のＭＡＣエンティティのリセットをトリガするリセットイベントを検出し、
前記リセットイベントの検出への応答として、ビーム障害指示を追跡するカウンタをリセットする、ように構成される、通信システム。
（ｚ）
例示的な実施形態（ｘ）又は（ｙ）に記載の通信システムであって、前記ＵＥをさらに含む、通信システム。
【００９６】
（ａａ）
例示的な実施形態（ｘ）〜（ｚ）のいずれかに記載の通信システムであって、前記セルラーネットワークは、前記ＵＥと通信するように構成される基地局をさらに含む、通信システム。
【００９７】
（ｂｂ）
例示的な実施形態（ｘ）〜（ａａ）のいずれかに記載の通信システムであって、
前記ホストコンピュータの前記処理回路は、ホストアプリケーションを実行することにより前記ユーザデータを提供するように構成され、
前記ＵＥの処理回路は、前記ホストアプリケーションに関連付けられるクライアントアプリケーションを実行するように構成される、通信システム。
【００９８】
（ｃｃ）
ホストコンピュータ、基地局、及び、１つ以上の帯域幅部分（ＢＷＰ）において選択的に動作するように構成されるユーザ機器（ＵＥ）を含む通信システムにおいて実装される方法であって、前記方法は、
前記ホストコンピュータにおいて、ユーザデータを提供することと、
前記ホストコンピュータにおいて、前記基地局を含むセルラーネットワークを介して、前記ＵＥへの前記ユーザデータを搬送する送信を開始することと、を含み、前記ＵＥにおける前記方法は、
ダウンリンク制御チャネルを求めて前記１つ以上のＢＷＰのうちのアクティブＢＷＰを監視することと、
リセットイベントを検出することと、
前記リセットイベントの検出への応答として、前記アクティブＢＷＰを前記１つ以上のＢＷＰのうちの予め決定される既定のＢＷＰへ切替えることと、を含む、方法。
【００９９】
（ｄｄ）
ホストコンピュータ、基地局及びユーザ機器（ＵＥ）を含む通信システムにおいて実装される方法であって、前記方法は、
前記ホストコンピュータにおいて、ユーザデータを提供することと、
前記ホストコンピュータにおいて、前記基地局を含むセルラーネットワークを介して、前記ＵＥへの前記ユーザデータを搬送する送信を開始することと、を含み、前記ＵＥにおける前記方法は、
前記ＵＥ内のメディアアクセス制御（ＭＡＣ）エンティティのリセットをトリガするリセットイベントを検出することと、
前記リセットイベントの検出への応答として、ビーム障害指示を追跡するカウンタをリセットすること、を含む、方法。
【０１００】
（ｅｅ）
例示的な実施形態（ｃｃ）又は（ｄｄ）に記載の方法であって、
前記ＵＥにおいて、前記基地局から前記ユーザデータを受信すること、をさらに含む、方法。
【０１０１】
（ｆｆ）
ホストコンピュータを含む通信システムであって、前記ホストコンピュータは、
セルラーネットワークにおいて動作するユーザ機器（ＵＥ）から基地局への送信に由来するユーザデータを受信するように構成される通信インタフェース、を備え、前記ＵＥは、１つ以上の帯域幅部分（ＢＷＰ）において選択的に動作するように構成され、前記ＵＥの処理回路は、
ダウンリンク制御チャネルを求めて前記１つ以上のＢＷＰのうちのアクティブＢＷＰを監視し、
リセットイベントを検出し、
前記リセットイベントの検出への応答として、前記アクティブＢＷＰを前記１つ以上のＢＷＰのうちの予め決定される既定のＢＷＰへ切替える、ように構成される、通信システム。
【０１０２】
（ｇｇ）
ホストコンピュータを含む通信システムであって、前記ホストコンピュータは、
セルラーネットワークにおいて動作するユーザ機器（ＵＥ）から基地局への送信に由来するユーザデータを受信するように構成される通信インタフェース、を備え、前記ＵＥの処理回路は、
前記ＵＥ内のメディアアクセス制御（ＭＡＣ）エンティティのリセットをトリガするリセットイベントを検出し、
前記リセットイベントの検出への応答として、ビーム障害指示を追跡するカウンタをリセットする、ように構成される、通信システム。
【０１０３】
（ｈｈ）
例示的な実施形態（ｆｆ）又は（ｇｇ）に記載の通信システムであって、前記ＵＥをさらに含む、通信システム。
【０１０４】
（ｉｉ）
例示的な実施形態（ｆｆ）〜（ｈｈ）のいずれかに記載の通信システムであって、前記基地局をさらに含み、前記基地局は、前記ＵＥと通信するように構成される無線インタフェースと、前記ＵＥから前記基地局への送信により搬送される前記ユーザデータを前記ホストコンピュータへ転送するように構成される通信インタフェースと、を備える、通信システム。
【０１０５】
（ｊｊ）
例示的な実施形態（ｆｆ）〜（ｈｈ）のいずれかに記載の通信システムであって、
前記ホストコンピュータの前記処理回路は、ホストアプリケーションを実行するように構成され、
前記ＵＥの処理回路は、前記ホストアプリケーションに関連付けられるクライアントアプリケーションを実行することにより前記ユーザデータを提供するように構成される、通信システム。
【０１０６】
（ｋｋ）
例示的な実施形態（ｆｆ）〜（ｈｈ）のいずれかに記載の通信システムであって、
前記ホストコンピュータの前記処理回路は、ホストアプリケーションを実行することによりリクエストデータを提供するように構成され、
前記ＵＥの処理回路は、前記ホストアプリケーションに関連付けられるクライアントアプリケーションを実行することにより前記リクエストデータへの応答として前記ユーザデータを提供するように構成される、通信システム。
【０１０７】
（ｌｌ）
セルラーネットワーク内で動作し、１つ以上の帯域幅部分（ＢＷＰ）において選択的に動作するように構成されるユーザ機器（ＵＥ）において実装される方法であって、
ダウンリンク制御チャネルを求めて前記１つ以上のＢＷＰのうちのアクティブＢＷＰを監視することと、
リセットイベントを検出することと、
前記リセットイベントの検出への応答として、前記アクティブＢＷＰを前記１つ以上のＢＷＰのうちの予め決定される既定のＢＷＰへ切替えることと、を含む、方法。
【０１０８】
（ｍｍ）
セルラーネットワーク内で動作するユーザ機器（ＵＥ）において実装される方法であって、
前記ＵＥ内のメディアアクセス制御（ＭＡＣ）エンティティのリセットをトリガするリセットイベントを検出することと、
前記リセットイベントの検出への応答として、ビーム障害指示を追跡するカウンタをリセットすること、を含む、方法。
【０１０９】
（ｎｎ）
例示的な実施形態（ｌｌ）又は（ｍｍ）に記載の方法であって、
ユーザデータを提供することと、
当該ユーザデータを前記基地局への前記送信を介してホストコンピュータへ転送することと、をさらに含む方法。
【０１１０】
（ｏｏ）
ホストコンピュータ、基地局、及び、セルラーネットワーク内で動作し１つ以上の帯域幅部分（ＢＷＰ）において選択的に動作するように構成されるユーザ機器（ＵＥ）を含む通信システムにおいて実装される方法であって、前記方法は、
前記ホストコンピュータにおいて、前記ＵＥから前記基地局へ送信されるユーザデータを受信すること、を含み、前記方法は、前記ＵＥにおいて、
ダウンリンク制御チャネルを求めて前記１つ以上のＢＷＰのうちのアクティブＢＷＰを監視することと、
リセットイベントを検出することと、
前記リセットイベントの検出への応答として、前記アクティブＢＷＰを前記１つ以上のＢＷＰのうちの予め決定される既定のＢＷＰへ切替えることと、を含む、方法。
【０１１１】
（ｐｐ）
ホストコンピュータ、基地局、及び、セルラーネットワーク内で動作するユーザ機器（ＵＥ）を含む通信システムにおいて実装される方法であって、前記方法は、
前記ホストコンピュータにおいて、前記ＵＥから前記基地局へ送信されるユーザデータを受信すること、を含み、前記方法は、前記ＵＥにおいて、
前記ＵＥ内のメディアアクセス制御（ＭＡＣ）エンティティのリセットをトリガするリセットイベントを検出することと、
前記リセットイベントの検出への応答として、ビーム障害指示を追跡するカウンタをリセットすること、を含む、方法。
【０１１２】
（ｑｑ）
例示的な実施形態（ｏｏ）又は（ｐｐ）に記載の方法であって、
前記ＵＥにおいて、前記基地局へ前記ユーザデータを提供すること、をさらに含む、方法。
【０１１３】
（ｒｒ）
例示的な実施形態（ｏｏ）〜（ｑｑ）のいずれかに記載の方法であって、
前記ＵＥにおいて、クライアントアプリケーションを実行することにより送信されるべき前記ユーザデータを提供することと、
前記ホストコンピュータにおいて、前記クライアントアプリケーションに関連付けられるホストアプリケーションを実行することと、をさらに含む、方法。
【０１１４】
（ｓｓ）
例示的な実施形態（ｏｏ）〜（ｑｑ）のいずれかに記載の方法であって、
前記ＵＥにおいて、クライアントアプリケーションを実行することと、
前記ＵＥにおいて、前記ホストコンピュータにおいて前記クライアントアプリケーションに関連付けられるホストアプリケーションを実行することにより提供される、前記クライアントアプリケーションへの入力データを受信することと、をさらに含み、
送信されるべき前記ユーザデータは、前記入力データへの応答として前記クライアントアプリケーションにより提供される、方法。
【０１１５】
（ｔｔ）
ホストコンピュータを含む通信システムであって、前記ホストコンピュータは、
セルラーネットワークにおいて動作するユーザ機器（ＵＥ）から基地局への送信に由来するユーザデータを受信するように構成される通信インタフェース、を備え、前記ＵＥは、１つ以上の帯域幅部分（ＢＷＰ）において選択的に動作するように構成され、前記ＵＥの処理回路は、
ダウンリンク制御チャネルを求めて前記１つ以上のＢＷＰのうちのアクティブＢＷＰを監視し、
リセットイベントを検出し、
前記リセットイベントの検出への応答として、前記アクティブＢＷＰを前記１つ以上のＢＷＰのうちの予め決定される既定のＢＷＰへ切替える、ように構成される、通信システム。
【０１１６】
（ｕｕ）
ホストコンピュータを含む通信システムであって、前記ホストコンピュータは、
セルラーネットワークにおいて動作するユーザ機器（ＵＥ）から基地局への送信に由来するユーザデータを受信するように構成される通信インタフェース、を備え、前記ＵＥの処理回路は、
前記ＵＥ内のメディアアクセス制御（ＭＡＣ）エンティティのリセットをトリガするリセットイベントを検出し、
前記リセットイベントの検出への応答として、ビーム障害指示を追跡するカウンタをリセットする、ように構成される、通信システム。
【０１１７】
（ｖｖ）
例示的な実施形態（ｔｔ）又は（ｕｕ）に記載の通信システムであって、前記ＵＥをさらに含む、通信システム。
【０１１８】
（ｗｗ）
例示的な実施形態（ｔｔ）〜（ｖｖ）のいずれかに記載の通信システムであって、前記基地局をさらに含み、前記基地局は、前記ＵＥと通信するように構成される無線インタフェースと、前記ＵＥから前記基地局への送信により搬送される前記ユーザデータを前記ホストコンピュータへ転送するように構成される通信インタフェースと、を備える、通信システム。
【０１１９】
（ｘｘ）
例示的な実施形態（ｔｔ）〜（ｖｖ）のいずれかに記載の通信システムであって、
前記ホストコンピュータの前記処理回路は、ホストアプリケーションを実行するように構成され、
前記ＵＥの処理回路は、前記ホストアプリケーションに関連付けられるクライアントアプリケーションを実行することにより前記ユーザデータを提供するように構成される、通信システム。
【０１２０】
（ｙｙ）
例示的な実施形態（ｔｔ）〜（ｖｖ）のいずれかに記載の通信システムであって、
前記ホストコンピュータの前記処理回路は、ホストアプリケーションを実行することによりリクエストデータを提供するように構成され、
前記ＵＥの処理回路は、前記ホストアプリケーションに関連付けられるクライアントアプリケーションを実行することにより前記リクエストデータへの応答として前記ユーザデータを提供するように構成される、通信システム。
【０１２１】
とりわけ、これまでの説明及び関連付けられる図面において提示した教示の恩恵をもって、当業者には開示した発明の修正例及び他の実施形態が想起されるであろう。したがって、理解されるべきこととして、本発明は開示した特定の実施形態には限定されるものではなく、修正例及び他の実施形態はその開示の範囲内に含まれるものと意図される。ここでは特定の用語が採用されているかもしれないが、それらは汎用的かつ説明的な意味で使用されているにすぎず、限定を目的とはしていない。
【図１】
2021521682.tif 000003
【図２】
2021521682.tif 000004
【図３】
2021521682.tif 000005
【図４】
2021521682.tif 000006
【図５】
2021521682.tif 000007
【図６】
2021521682.tif 000008
【図７】
2021521682.tif 000009
【図８】
2021521682.tif 000010
【図９】
2021521682.tif 000011
【図１０】
2021521682.tif 000012
【図１１】
2021521682.tif 000013
【図１２】
2021521682.tif 000014
【手続補正書】
【提出日】令和2年12月1日(2020.12.1)
【手続補正１】
【補正対象書類名】特許請求の範囲
【補正対象項目名】全文
【補正方法】変更
【補正の内容】
【特許請求の範囲】
【請求項１】
ワイヤレス通信ネットワーク内で動作し、前記ワイヤレス通信ネットワークにより構成される１つ以上の帯域幅部分（ＢＷＰ）において選択的に動作するように構成されるワイヤレスデバイスにおいて、ＢＷＰと共に動作するための方法であって、前記方法は、
ダウンリンク制御チャネルを求めて前記１つ以上のＢＷＰのうちのアクティブＢＷＰを監視すること（２０２）と、
前記ワイヤレスデバイス内のメディアアクセス制御（ＭＡＣ）エンティティのリセットをトリガするリセットイベントを検出すること（２０４）と、
前記リセットイベントの検出への応答として、前記アクティブＢＷＰを前記１つ以上のＢＷＰのうちの予め決定される既定のＢＷＰへ切替えること（２０６）と、を含む、方法。
【請求項２】
請求項１に記載の方法であって、前記予め決定される既定のＢＷＰは、前記１つ以上のＢＷＰのうちの予め決定される初期ＢＷＰである、方法。
【請求項３】
請求項１又は２に記載の方法であって、前記予め決定される既定のＢＷＰへ前記アクティブＢＷＰを切替えること（２０６）は、予め決定される既定のダウンリンクＢＷＰへアクティブダウンリンクＢＷＰを切替えること、を含み、前記方法は、前記リセットイベントの検出への応答として、予め決定される既定のアップリンクＢＷＰへアクティブアップリンクＢＷＰを切替えること、をさらに含む、方法。
【請求項４】
請求項１〜３のいずれか１項に記載の方法であって、検出される前記リセットイベントは、ＲＲＣ接続モードからの退出、を含む、方法。
【請求項５】
請求項１〜３のいずれか１項に記載の方法であって、検出される前記リセットイベントは、
前記ワイヤレス通信ネットワークへ送信した無線リソース制御（ＲＲＣ）メッセージに対する応答を前記ワイヤレスデバイスが待ち受けている間のセル再選択、
ＲＲＣ接続確立要求の送信に応じて開始されるタイマの満了、
ＲＲＣ接続拒否メッセージの受信、
前記ワイヤレスデバイスによりトリガされたＲＲＣ接続の中断、
ＲＲＣ接続再確立の開始、及び
ハンドオーバの障害、
のうちで選択される任意のイベントを含む、方法。
【請求項６】
ワイヤレスデバイスであって、
ダウンリンク制御チャネルを求めて１つ以上の帯域幅部分（ＢＷＰ）のうちのアクティブＢＷＰを監視（２０２）し、
前記ワイヤレスデバイス内のメディアアクセス制御（ＭＡＣ）エンティティのリセットをトリガするリセットイベントを検出（２０４）し、
前記リセットイベントの検出への応答として、前記アクティブＢＷＰを前記１つ以上のＢＷＰのうちの予め決定される既定のＢＷＰへ切替える（２０６）、
ように適合される、ワイヤレスデバイス。
【請求項７】
請求項６に記載のワイヤレスデバイスであって、前記予め決定される既定のＢＷＰは、前記１つ以上のＢＷＰのうちの予め決定される初期ＢＷＰである、ワイヤレスデバイス。
【請求項８】
請求項６又は７に記載のワイヤレスデバイスであって、前記予め決定される既定のＢＷＰへ前記アクティブＢＷＰを切替えること（２０６）は、予め決定される既定のダウンリンクＢＷＰへアクティブダウンリンクＢＷＰを切替えること、を含み、前記ワイヤレスデバイスは、前記リセットイベントの検出への応答として、予め決定される既定のアップリンクＢＷＰへアクティブアップリンクＢＷＰを切替える、ようにさらに適合される、ワイヤレスデバイス。
【請求項９】
請求項６〜８のいずれか１項に記載のワイヤレスデバイスであって、検出される前記リセットイベントは、ＲＲＣ接続モードからの退出、を含む、ワイヤレスデバイス。
【請求項１０】
請求項６〜８のいずれか１項に記載のワイヤレスデバイスであって、検出される前記リセットイベントは、
ワイヤレス通信ネットワークへ送信した無線リソース制御（ＲＲＣ）メッセージに対する応答を前記ワイヤレスデバイスが待ち受けている間のセル再選択、
ＲＲＣ接続確立要求の送信に応じて開始されるタイマの満了、
ＲＲＣ接続拒否メッセージの受信、
前記ワイヤレスデバイスによりトリガされたＲＲＣ接続の中断、
ＲＲＣ接続再確立の開始、及び
ハンドオーバの障害、
のうちで選択される任意のイベントを含む、ワイヤレスデバイス。
【請求項１１】
少なくとも１つの処理回路上で実行された場合に、前記少なくとも１つの処理回路に、請求項１〜５のいずれか１項に記載の方法を遂行させる命令群、を含む、コンピュータプログラム。
【請求項１２】
請求項１１に記載のコンピュータプログラムを記憶したコンピュータ読取可能な記憶媒体。
【国際調査報告】
2021521682.tif 000015
2021521682.tif 000016
2021521682.tif 000017